【手続補正書】
【提出日】平成30年3月5日(2018.3.5)
【手続補正１】
【補正対象書類名】特許請求の範囲
【補正対象項目名】全文
【補正方法】変更
【補正の内容】
【特許請求の範囲】
【請求項１】
少なくとも１つのプロセッサにより実行可能な命令を記憶する非一時的なコンピュータ読取可能媒体であって、
前記少なくとも１つのプロセッサは、前記命令を実行すると、
１つまたは複数の荷物が第一の場所から第一の有人集配拠点へ配達されるように予定されているとの指示を受け取ること、
追加の荷物を保管するための推定された利用可能な能力に基づいて前記第一の有人集配拠点の現在、将来、またはその両方の能力をモニタリングすることにより前記第一の有人集配拠点に前記１つまたは複数の荷物の配達を受け入れる能力があるか否かを判断することであって、
前記第一の有人集配拠点における保管スペースの容積を受け取って前記非一時的なコンピュータ読取可能媒体に記憶すること、
前記第一の有人集配拠点において保管されている荷物の現在の量を受け取ること、
前記１つまたは複数の荷物の複数の寸法を受け取ること、
前記荷物の現在の量と、前記１つまたは複数の荷物の複数の寸法に基づいて、第一の有人集配拠点において特定の時間に保管されているか、または今後保管される荷物の全体積を計算すること、
前記第一の有人集配拠点の計算された荷物の体積および保管スペースの容積に基づいて、追加の荷物の保管に利用できる第一の有人集配拠点の能力の推定量を生成すること、
生成された推定量に基づいて、前記第一の有人集配拠点に前記１つまたは複数の荷物を受け入れる能力があるか否かを判断すること、を含む、前記判断すること、
前記第一の有人集配拠点に能力がないと判断することに少なくとも部分的に応答して、前記１つまたは複数の荷物を転送すること、を実行するように動作可能である、非一時的なコンピュータ読取可能媒体。
【請求項２】
前記少なくとも１つのプロセッサは、前記命令を実行すると、
前記１つまたは複数の荷物の意図された受取人である利用者から入力デバイスを介して、能力の欠如により有人集配拠点から転送される荷物の配達に関する１つまたは複数の荷物の取扱いの選好の入力を受け取ること、
前記第一の有人集配拠点に能力がないと判断することに少なくとも部分的に応答して、前記１つまたは複数の荷物を、前記１つまたは複数の荷物の取扱いの選好に少なくとも部分的に基づいて転送すること、
前記転送に少なくとも部分的に応答して、前記１つまたは複数の荷物を第二の場所に仕向けることであって、前記１つまたは複数の荷物の取扱いの選好は、前記第一の有人集配拠点への配達を、少なくとも前記第一の有人集配拠点が前記１つまたは複数の荷物の配達を受け入れる能力を有するようになるまで遅延させること、および前記１つまたは複数の荷物を前記第一の場所に戻すことのうちの少なくとも１つを含む、前記仕向けること、
前記利用者に前記転送を通知すること、をさらに実行するように動作可能であり、
前記１つまたは複数の荷物の取扱いの選好は、
前記１つまたは複数の荷物を、前記第一の有人集配拠点に最も近い有人集配拠点に転送するという選好を含み、
前記第二の場所は、第二の有人集配拠点である、請求項１に記載の非一時的なコンピュータ読取可能媒体。
【請求項３】
前記１つまたは複数の荷物の取扱いの選好は、
前記１つまたは複数の荷物を前記利用者に関連する住居に転送するという選好を含み、
前記第二の場所は、前記住居である、請求項２に記載の非一時的なコンピュータ読取可能媒体。
【請求項４】
前記１つまたは複数の荷物の取扱いの選好は、
前記１つまたは複数の荷物を住居に最も近い有人集配拠点に転送するという選好を含み、
前記転送することは、
前記有人集配拠点のうち、前記住居に最も近い場所を判断すること、
前記住居に最も近い有人集配拠点に、前記１つまたは複数の荷物の配達を受け入れる能力があるか否かを判断すること、
前記住居に最も近い有人集配拠点に能力があると判断することに少なくとも部分的に応答して、前記住居に最も近い有人集配拠点に前記１つまたは複数の荷物を仕向けることを含む、請求項１に記載の非一時的なコンピュータ読取可能媒体。
【請求項５】
前記１つまたは複数の荷物の取扱いの選好は、
前記第一の有人集配拠点以外の１つまたは複数の有人集配拠点に対する選好を含み、
前記１つまたは複数の有人集配拠点の各々は、前記利用者から受け取った順位を含み、
前記少なくとも１つのプロセッサは、前記命令を実行すると、
前記１つまたは複数の有人集配拠点のうちのどれが最高順位を有するかを判断すること、および
前記１つまたは複数の有人集配拠点のうちのどれが前記最高順位を有するかを判断することに少なくとも部分的に応答して、前記最高順位の１つまたは複数の有人集配拠点に前記１つまたは複数の荷物の配達を仕向けることを実行するようにさらに動作可能である、請求項２に記載の非一時的なコンピュータ読取可能媒体。
【請求項６】
前記少なくとも１つのプロセッサは、前記命令を実行すると、
前記最高順位の１つまたは複数の有人集配拠点に、前記１つまたは複数の荷物の配達を受け入れる能力があるか否かを判断すること、および
前記最高順位の１つまたは複数の有人集配拠点に能力がないと判断することに少なくとも部分的に応答して、
前記１つまたは複数の有人集配拠点のうちのどれが２番目に高い順位を有するかを判断し、
前記１つまたは複数の荷物を前記２番目に高い順位の１つまたは複数の有人集配拠点に仕向けること、を実行するようにさらに動作可能である、請求項５に記載の非一時的なコンピュータ読取可能媒体。
【請求項７】
前記第二の場所が、前記第一の場所である、請求項２に記載の非一時的なコンピュータ読取可能媒体。
【請求項８】
コンピュータシステムであって、
少なくとも１つのユーザ入力デバイスと、
少なくとも１つのプロセッサと、
コンピュータ読取可能な命令を記憶する少なくとも１つの非一時的なコンピュータ読取可能媒体と、を備え、
前記少なくとも１つのプロセッサは、前記命令を実行すると、
ユーザから前記少なくとも１つのユーザ入力デバイスを介して、１つまたは複数の荷物が第一の場所から第一の有人集配拠点へ配達されるように予定されているとの指示を受け取ることであって、前記１つまたは複数の荷物は、意図された受取人を有する、前記指示を受け取ること、
第一の有人集配拠点に、前記１つまたは複数の荷物の配達を受け入れる能力があるか否かを判断することであって、
前記第一の有人集配拠点において保管されている荷物の現在の量を測定すること、
前記第一の有人集配拠点における保管スペースの容積を測定すること、
前記１つまたは複数の荷物の寸法を測定すること、
前記荷物の現在の量と、前記１つまたは複数の荷物の複数の寸法に基づいて、第一の有人集配拠点において特定の時間に保管されているか、または今後保管される荷物の全体積を計算し、前記第一の有人集配拠点の計算された荷物の体積および保管スペースの容積に基づいて、追加の荷物の保管に利用できる第一の有人集配拠点の能力の推定量を生成することによって前記第一の有人集配拠点に配達を受け入れる能力があるか否かを判断すること、
生成された推定量に基づいて、前記第一の有人集配拠点に前記１つまたは複数の荷物を受け入れる能力があるか否かを判断すること、を含む前記判断すること、
前記第一の有人集配拠点に前記１つまたは複数の荷物の配達を受け入れる能力がないと判断することに少なくとも部分的に応答して、前記１つまたは複数の荷物を転送すること、を行うように動作可能である、コンピュータシステム。
【請求項９】
前記第一の有人集配拠点に前記１つまたは複数の荷物の配達を受け入れる能力がないと判断することに少なくとも部分的に応答して、前記１つまたは複数の荷物を転送することは、
利用者に前記能力の欠如を通知すること、
前記意図された受取人に対して、１つまたは複数の転送の選択肢の選択を提供することであって、前記１つまたは複数の転送の選択肢は、
前記１つまたは複数の荷物を第二の有人集配拠点に転送すること、
前記１つまたは複数の荷物の前記第一の有人集配拠点への配達を、少なくとも前記第一の有人集配拠点が前記１つまたは複数の荷物の配達を受け入れる能力を有するようになるまで遅延させること、
前記１つまたは複数の荷物を前記利用者に関連する住所に転送すること、からなる群から選択される、前記選択を提供すること、
前記１つまたは複数の転送の選択肢の選択を提供することに少なくとも部分的に応答して、前記利用者から、前記１つまたは複数の転送の選択肢のうちの１つの選択を受け取ること、
前記１つまたは複数の荷物を、前記選択された１つまたは複数の転送の選択肢に少なくとも部分的に基づいて転送すること、を含み、
選択された１つまたは複数の転送の選択肢は、
前記１つまたは複数の荷物を第二の有人集配拠点へ転送することを含み、
前記１つまたは複数の荷物を、選択された１つまたは複数の転送の選択肢に少なくとも部分的に基づいて転送することは、前記１つまたは複数の荷物を前記第二の有人集配拠点に仕向けることを含む、請求項８に記載のコンピュータシステム。
【請求項１０】
前記コンピュータシステムは、好適な第二の有人集配拠点を判断するようにさらに構成される、請求項９に記載のコンピュータシステム。
【請求項１１】
前記好適な第二の有人集配拠点を判断することは、
前記利用者により提供された１つまたは複数の選好に少なくとも部分的に基づいて、前記好適な第二の有人集配拠点を判断することを含む、請求項１０に記載のコンピュータシステム。
【請求項１２】
前記１つまたは複数の選好は、
前記第二の有人集配拠点が前記利用者に関連する住居の特定の距離内にあるという選好を含む、請求項１１に記載のコンピュータシステム。
【請求項１３】
前記１つまたは複数の選好は、
前記第二の有人集配拠点が前記利用者に関連するオフィスの特定の距離内にあるという選好を含む、請求項１１に記載のコンピュータシステム。
【請求項１４】
選択された１つまたは複数の転送の選択肢は、
前記１つまたは複数の荷物の前記第一の有人集配拠点への配達を、少なくとも前記第一の有人集配拠点が前記１つまたは複数の荷物の配達を受け入れる能力を有するようになるまで遅延させることを含み、
前記１つまたは複数の荷物を、選択された１つまたは複数の転送の選択肢に少なくとも部分的に基づいて転送することは、前記１つまたは複数の荷物を前記第一の場所に戻すことを含む、請求項１２に記載のコンピュータシステム。
【請求項１５】
選択された１つまたは複数の転送の選択肢は、
前記１つまたは複数の荷物を利用者に関連する住所に転送することを含み、
前記利用者に関連する前記住所は、利用者の住居の住所である、請求項１２に記載のコンピュータシステム。
【請求項１６】
方法であって、
利用者から入力デバイスを介して、能力の欠如により有人集配拠点から転送される荷物の配達に関する１つまたは複数の荷物の取扱いの選好の入力を受け取ること、
１つまたは複数の荷物が仕向けられている特定の有人集配拠点に前記１つまたは複数の荷物を受け入れることのできる可能性があるか否かを判断することであって、
前記特定の有人集配拠点において保管されている荷物の現在の量を測定すること、
前記特定の有人集配拠点における保管スペースの容積を測定すること、
前記１つまたは複数の荷物の寸法を測定すること、
前記荷物の現在の量と、前記１つまたは複数の荷物の複数の寸法に基づいて、第一の有人集配拠点において特定の時間に保管されているか、または今後保管される荷物の全体積を計算し、前記第一の有人集配拠点の計算された荷物の体積および保管スペースの容積に基づいて、追加の荷物の保管に利用できる第一の有人集配拠点の能力の推定量を生成すること、
生成された推定量に基づいて、前記第一の有人集配拠点に前記１つまたは複数の荷物を受け入れる能力があるか否かを判断すること、を含む前記判断すること、
前記特定の有人集配拠点に可能性がないと判断することに応答して、少なくとも１つのプロセッサが、前記１つまたは複数の荷物を転送させること、を備える方法。
【請求項１７】
前記特定の有人集配拠点に可能性がないと判断することに応答して、少なくとも１つのプロセッサが、前記荷物を転送させることは、
前記１つまたは複数の荷物の取扱いの選好に基づき、
少なくとも１つのプロセッサが、前記荷物の代替有人集配拠点への宛先変更を仕向けること、
少なくとも１つのプロセッサが、前記荷物の代替有人集配拠点への配達の後の時点までの遅延を仕向けること、
少なくとも１つのプロセッサが、前記荷物の荷物受取人に関連する住所への配達を仕向けることからなる群から選択されること、を含み、
前記荷物が仕向けられている前記特定の有人集配拠点が前記荷物を受け入れることのできる可能性があるか否かを判断することは、さらに、前記荷物受取人が通常どれだけ迅速に有人集配拠点から荷物を引き取るかに基づく、請求項１６に記載の方法。
【請求項１８】
前記代替有人集配拠点が、
（ａ）前記有人集配拠点からの前記代替有人集配拠点の距離、
（ｂ）前記代替有人集配拠点の配達を受け入れる現在の推定能力、
（ｃ）前記代替有人集配拠点の配達を受け入れる将来の推定能力、
（ｄ）前記荷物受取人により提供された選好、からなる群から選択される要因に少なくとも部分的に基づいて選択される、請求項１６に記載の方法。
【請求項１９】
前記荷物が仕向けられている前記特定の有人集配拠点が、前記荷物を受け入れることができる可能性を有するか否かを判断することは、
前記可能性を、前記特定の有人集配拠点に関連する営業時間と、前記特定の有人集配拠点における前記荷物の推定配達時間とに少なくとも部分的に基づいて判断することを含む、請求項１６に記載の方法。